(57)【要約】【課題】  基板を重ね合せる前に、基板上の隔壁で囲われたセル内の狭小空間に、帯電特性の異なる２種類の表示媒体を所定の割合で均一に充填できる情報表示用パネルの製造方法を提供し、表示情報の画像品質に優れた安価な情報表示用パネルを提供する。【解決手段】  少なくとも一方が透明な対向する２枚の基板間に、隔壁４によって仕切られた複数のセルを形成し、該セル内に帯電特性の異なる２種類の表示媒体３Ｗ，３Ｂを封入し、表示媒体に電界を付与することによって、表示媒体を移動させて画像等の情報を表示する情報表示用パネルを製造する際には、第１の表示媒体３Ｗをセル内に充填後、第２の表示媒体３Ｂを充填する前に、セル内に充填済みの第１の表示媒体３Ｗを除電してから、第２の表示媒体３Ｂを第１の表示媒体３Ｗに重ねて充填する。【選択図】図３
2006085162.tif 000002
【特許請求の範囲】
【請求項１】
少なくとも一方が透明な対向する２枚の基板間に、隔壁によって仕切られた複数のセルを形成し、該セル内に帯電特性の異なる２種類の表示媒体を封入し、表示媒体に電界を付与することによって、表示媒体を移動させて画像等の情報を表示する情報表示用パネルの製造方法であって、
第１の表示媒体をセル内に充填後、第２の表示媒体を充填する前に、セル内に充填済みの第１の表示媒体を除電してから、第２の表示媒体を第１の表示媒体に重ねて充填することを特徴とする情報表示用パネルの製造方法。
【請求項２】
前記第１の表示媒体および第２の表示媒体を充填する方法として、基板の上に配置したノズルから第１の表示媒体および第２の表示媒体を各別に気中へ散布し、自由落下によって基板上のセル内に充填する方法を用いて、第２の表示媒体を第１の表示媒体に重ねて充填することを特徴とする請求項１に記載の情報表示用パネルの製造方法。
【請求項３】
前記第１の表示媒体を除電してから、前記第２の表示媒体を第１の表示媒体に重ねて充填する際に、基板に第２の表示媒体が有する帯電特性と逆符号の電圧を印加して第２の表示媒体を第１の表示媒体に重ねて充填することを特徴とする請求項１または２に記載の情報表示用パネルの製造方法。
【請求項４】
表示媒体が粒子群または粉流体であることを特徴とする請求項１〜３のいずれか１項に記載の情報表示用パネルの製造方法。
【発明の詳細な説明】
【技術分野】
【０００１】
本発明は、少なくとも一方が透明な対向する２枚の基板間に、隔壁によって仕切られた複数のセルを形成し、該セル内に帯電特性の異なる２種類の表示媒体を封入し、表示媒体に電界を付与することによって、表示媒体を移動させて画像等の情報を表示する情報表示用パネルの製造方法に関するものである。
【背景技術】
【０００２】
従来より、液晶（ＬＣＤ）に代わる情報表示装置として、電気泳動方式、トナー（粒子）移動方式、エレクトロクロミック方式、サーマル方式、２色粒子回転方式等の技術を用いた情報表示装置が提案されている。
【０００３】
これら従来技術は、ＬＣＤと比較すると、通常の印刷物に近い広い視野角が得られる、消費電力が小さい、メモリ機能を有している等のメリットがあることから、次世代の安価な情報表示装置に使用可能な技術として考えられており、携帯端末用情報表示、電子ペーパー等への展開が期待されている。特に、最近では、分散粒子と着色溶液とから成る分散液をマイクロカプセル化し、これを対向する基板間に配置して成る電気泳動方式（例えば、非特許文献１参照）が提案され、期待が寄せられている。
【０００４】
しかしながら、電気泳動方式では、液中を粒子が泳動するために液の粘性抵抗により応答速度が遅くなるという問題がある。さらに、低比重の溶液中に酸化チタン等の高比重の粒子を分散させているため沈降しやすくなっており、分散状態の安定性維持が難しく、表示情報を繰り返し書き換える際の安定性に欠けるという問題を抱えている。また、マイクロカプセル化にしても、セルサイズをマイクロカプセルレベルにして、見かけ上、上述した欠点が現れにくくしているだけであって、本質的な問題は何ら解決されていない。
【０００５】
一方、溶液中での挙動を利用する電気泳動方式に対し、溶液を使わず、導電性粒子と電荷輸送層とを基板の一部に組み入れる方式も提案され始めている（例えば、非特許文献１参照）。しかし、この方式は、電荷輸送層、さらには電荷発生層を配置するために構造が複雑化するとともに、導電性粒子に電荷を一定に注入することは難しいため、表示情報を書き換える際の安定性に欠けるという問題もある。
【０００６】
上述した種々の問題を解決するための一方法として、少なくとも一方が透明な対向する２枚の基板間に、隔壁によって仕切られた複数のセルを形成し、該セル内に帯電特性の異なる２種類の表示媒体を封入し、表示媒体に電界を付与することによって、表示媒体を移動させて画像等の情報を表示する情報表示用パネルを搭載した情報表示装置が知られている。
【０００７】
【非特許文献１】趙  国来、外３名、“新しいトナーディスプレイデバイス（Ｉ）”、１９９９年７月２１日、日本画像学会年次大会（通算８３回）“Japan Hardcopy’99”、p.249-252
【発明の開示】
【発明が解決しようとする課題】
【０００８】
上記のような情報表示用パネルでは、隔壁で囲われた小部屋（セル）に表示媒体を封入する場合、基板を重ね合せる前に表示媒体をセル内に充填するが、帯電特性の異なる２種類の表示媒体をセル内の狭小空間に充填する際に、２種類の帯電特性の異なる表示媒体をセル内に連続して散布充填するようにした場合には、先に充填した第１の表示媒体の帯電極性と、続けて充填する第２の表示媒体の帯電極性とが異なるため、第２の表示媒体を散布したときに、第１の表示媒体と第２の表示媒体とが凝集してしまい、帯電特性の異なる２種類の表示媒体を所定の割合で均一にセル内に充填することができなくなるため、表示情報の画像品質に問題が生じる。
【０００９】
本発明は、基板を重ね合せる前に、基板上の隔壁で囲われたセル内の狭小空間に、帯電特性の異なる２種類の表示媒体を所定の割合で均一に充填できる情報表示用パネルの製造方法を提供し、表示情報の画像品質に優れた安価な情報表示用パネルを提供することを目的とする。
【課題を解決するための手段】
【００１０】
上記目的を達成するため、本発明の情報表示用パネルの製造方法は、少なくとも一方が透明な対向する２枚の基板間に、隔壁によって仕切られた複数のセルを形成し、該セル内に帯電特性の異なる２種類の表示媒体を封入し、表示媒体に電界を付与することによって、表示媒体を移動させて画像等の情報を表示する情報表示用パネルの製造方法であって、第１の表示媒体をセル内に充填後、第２の表示媒体を充填する前に、セル内に充填済みの第１の表示媒体を除電してから、第２の表示媒体を第１の表示媒体に重ねて充填することを特徴とする。
【００１１】
本発明の情報表示用パネルの製造方法の好適例としては、前記第１の表示媒体および第２の表示媒体を充填する方法として、基板の上に配置したノズルから第１の表示媒体および第２の表示媒体を各別に気中へ散布し、自由落下によって基板上のセル内に充填する方法を用いて、第２の表示媒体を第１の表示媒体に重ねて充填すること、前記第１の表示媒体を除電してから、前記第２の表示媒体を第１の表示媒体に重ねて充填する際に、基板に第２の表示媒体が有する帯電特性と逆符号の電圧を印加して第２の表示媒体を第１の表示媒体に重ねて充填すること、および、表示媒体が粒子群または粉流体であること、がある。
基板に電圧を印加して帯電特性の異なる２種類の表示媒体を充填する場合、第１の表示媒体を充填した後に第２の表示媒体を充填する際には、第１の表示媒体の帯電特性と同符号の電圧を印加することになるため、第１の表示媒体は反発しセル内の充填状態が疎になったり、あるいは飛散したりするなどの不具合が生じる。第１の表示媒体を除電することにより、第２の表示媒体の帯電特性と逆符号（第１の表示媒体の帯電特性と同符号）の電圧を印加することが可能になり、第１の表示媒体の充填状態を損なうことなく、第２の表示媒体を良好に充填することができる。
【発明の効果】
【００１２】
上記本発明の情報表示用パネルの製造方法によれば、少なくとも一方が透明な対向する２枚の基板間に、隔壁によって仕切られた複数のセルを形成し、該セル内に帯電特性の異なる２種類の表示媒体を封入し、表示媒体に電界を付与することによって、表示媒体を移動させて画像等の情報を表示する情報表示用パネルを製造する際には、第１の表示媒体をセル内に充填後、第２の表示媒体を充填する前に、セル内に充填済みの第１の表示媒体を除電してから、第２の表示媒体を第１の表示媒体に重ねて充填するから、先に充填した第１の表示媒体の帯電特性は除電されて無くなっているので、その後に充填される第２の表示媒体が帯電特性を有していても第１の表示媒体を構成する粒子と第２の表示媒体を構成する粒子とが互いに凝集することが防止され、セル内に帯電特性の異なる２種類の表示媒体を所定の割合で均一に散布充填することができる。したがって、表示情報の画像品質に優れた安価な情報表示用パネルを提供できるようになる。
【発明を実施するための最良の形態】
【００１３】
以下、本発明を実施するための最良の形態を図面に基づき詳細に説明する。
【００１４】
まず、本発明の情報表示装置の情報表示用パネルの構成について説明する。本発明の情報表示装置では、対向する基板間に表示媒体を封入した情報表示用パネルの基板内に何らかの手段で電界が付与される。電界方向に従って帯電した表示媒体が電界による力やクーロン力などによって引き寄せられ、表示媒体が電界方向の切換によって移動方向を変えることにより、画像等の情報表示がなされる。従って、表示媒体が、均一に移動し、かつ、表示情報の書き換えを繰り返し行う時あるいは表示情報を継続して表示させておく時の安定性を維持できるように、情報表示用パネルを設計する必要がある。ここで、表示媒体を構成する粒子にかかる力は、粒子同士のクーロン力により引き付けあう力の他に、電極との電気影像力、分子間力、液架橋力、重力などが考えられる。
【００１５】
本発明の情報表示装置に用いる情報表示用パネルの例を、図１および図２に基づき説明する。
図１に示す例では、少なくとも１種以上の粒子から構成される光学的反射率および帯電特性の異なる少なくとも２種類以上の表示媒体３（ここでは白色表示媒体用粒子３Ｗａから成る白色粒子群３Ｗと黒色表示媒体用粒子３Ｂａから成る黒色粒子群３Ｂを示す）を、基板１、２の外部から加えられる電界に応じて、基板１、２と垂直に移動させ、黒色粒子群３Ｂを観察者に視認させて黒色の表示を行うか、あるいは、白色粒子群３Ｗを観察者に視認させて白色の表示を行っている。なお、図１に示す例では、基板１、２との間に例えば格子状に隔壁４を設けセルを形成している。
図２に示す例では、少なくとも１種以上の粒子から構成される光学的反射率および帯電特性の異なる少なくとも２種類以上の表示媒体３（ここでは白色表示媒体用粒子３Ｗａから成る白色粒子群３Ｗと黒色表示媒体用粒子３Ｂａから成る黒色粒子群３Ｂを示す）を、基板１に設けた電極５と基板２に設けた電極６との間に電圧を印加することにより発生する電界に応じて、基板１、２と垂直に移動させ、黒色粒子群３Ｂを観察者に視認させて黒色の表示を行うか、あるいは、白色粒子群３Ｗを観察者に視認させて白色の表示を行っている。なお、図２に示す例では、基板１、２との間に例えば格子状に隔壁４を設けセルを形成している。
以上の説明は、白色粒子群３Ｗを白色粉流体に、黒色粒子群３Ｂを黒色粉流体に、それぞれ置き換えた場合も同様に適用することができる。
【００１６】
以下、本発明の特徴となる情報表示用パネルの製造方法を図３（ａ）〜（ｅ）および図４（ａ）〜（ｄ）に基づいて詳細に説明する。
本発明の情報表示用パネルを製造する際には、まず、図３（ａ）に示すように、隔壁４を形成しておいた一方の基板（例えば観察者側となる透明基板）１の上方から、散布ノズル１１によって第１の表示媒体として例えば正帯電性の白色表示媒体３Ｗを散布して自由落下させ、図３（ｂ）に示すように、隔壁４によって基板上に形成されたセル内に白色表示媒体３Ｗを充填する。次に、図３（ｃ）に示すように、基板１の上方に配置した除電装置１２によって、セル内に充填済みの白色表示媒体３Ｗを除電する。これにより、図４（ａ）に示すように正（＋）になっていた白色表示媒体３Ｗの帯電特性は、図４（ｂ）に示すように除電されて無くなる。次に、図３（ｄ）に示すように、白色表示媒体３Ｗの充填完了後の基板１の上方から、散布ノズル１１によって第２の表示媒体として負帯電性の黒色表示媒体３Ｂを散布して自由落下させると、黒色表示媒体３Ｂの散布終了時には、図３（ｅ）に示すように、隔壁４によって基板上に形成されたセル内に黒色表示媒体３Ｂが重ねて充填されることになる。このとき、セル内に充填済みの白色表示媒体３Ｗは除電されているので、図４（ｂ）に示すように、帯電していない白色表示媒体３Ｗの上に、負（−）に帯電している黒色表示媒体３Ｂが乗った状態において、白色表示媒体３Ｗと黒色表示媒体３Ｂとが凝集することはない。
【００１７】
なお、上述した図３（ａ）〜（ｅ）の製造方法では、白色表示媒体３Ｗを散布した後に黒色表示媒体３Ｂを散布するようにしたが、黒色表示媒体３Ｂを散布した後に白色表示媒体３Ｗを散布するようにしてもよく、その場合には、図４（ｃ）に示すように負（−）に帯電しているセル内に充填済みの黒色表示媒体３Ｂを除電して、図４（ｄ）に示すように黒色表示媒体３Ｂの帯電特性を無くしておいてから、図４（ｄ）に示すように、帯電していない黒色表示媒体３Ｂの上に、正（＋）に帯電している白色表示媒体３Ｗを重ねて散布すればよい。
【００１８】
本発明によれば、少なくとも一方が透明な対向する２枚の基板間に、隔壁によって仕切られた複数のセルを形成し、該セル内に帯電特性の異なる２種類の表示媒体３Ｗ，３Ｂを封入し、表示媒体３Ｗ，３Ｂに電界を付与することによって、表示媒体３Ｗ，３Ｂを移動させて画像等の情報を表示する情報表示用パネルを製造する際には、第１の表示媒体をセル内に充填後、第２の表示媒体を充填する前に、除電装置１２によってセル内に充填済みの第１の表示媒体を除電してから、第２の表示媒体を第１の表示媒体に重ねて充填するから、先に充填した第１の表示媒体の帯電極性は除電されて無くなっているので、その後に充填される第２の表示媒体が帯電特性を有していても第１の表示媒体を構成する粒子と第２の表示媒体を構成する粒子とが互いに凝集することが防止されることになる。さらに、図６に示すように、セル内に充填済みの第１の表示媒体を除電後に基板に第２の表示媒体が有する帯電特性と逆符号の電圧を印加すると第２の表示媒体が基板に引き寄せられ易くなり、好ましい。したがって、セル内に帯電特性の異なる２種類の表示媒体を所定の割合で均一に散布充填することができ、表示情報の画像品質に優れた安価な情報表示用パネルを提供することができる。
【００１９】
以下、本発明の対象となる情報表示装置の情報表示用パネルを構成する各部材について説明する。
【００２０】
基板については、少なくとも一方の基板はパネル外側から表示媒体の色が確認できる透明な基板であり、可視光の透過率が高くかつ耐熱性の良い材料が好適である。もう一方の基板となる背面基板は透明でも不透明でもかまわない。基板材料を例示すると、ポリエチレンテレフタレート、ポリエチレンナフタレート、ポリエーテルサルフォン、ポリエチレン、ポリカーボネート、ポリイミド、アクリルなどのポリマーシートや、金属シートのように可とう性のあるもの、および、ガラス、石英などの可とう性のない無機シートが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００２１】
必要に応じて設ける電極５、６の電極形成材料としては、アルミニウム、銀、ニッケル、銅、金等の金属類やＩＴＯ、酸化インジウム、導電性酸化錫、導電性酸化亜鉛等の透明導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法が用いられる。なお、電極厚みは、導電性が確保でき光透過性に支障がなければ良く、３〜１０００ｎｍ、好ましくは５〜４００ｎｍが好適である。背面基板側に設ける電極５の材質や厚みなどは上述した電極６と同様であるが、透明である必要はない。なお、この場合の外部電圧入力は、直流あるいは交流を重畳しても良い。
【００２２】
隔壁４については、その形状は表示にかかわる表示媒体の種類により適宜最適設定され、一概には限定されないが、隔壁の幅は２〜１００μｍ、好ましくは３〜５０μｍに、隔壁の高さは１０〜５００μｍ、好ましくは１０〜２００μｍに調整される。また、隔壁を形成するにあたり、対向する両基板の各々にリブを形成した後に接合する両リブ法、片側の基板上にのみリブを形成する片リブ法が考えられる。本発明では、いずれの方法も好適に用いられる。
【００２３】
これらのリブからなる隔壁により形成されるセルは、図５に示すごとく、基板平面方向からみて四角状、三角状、ライン状、円形状、六角状が例示され、配置としては格子状やハニカム状や網目状が例示される。表示面側から見える隔壁断面部分に相当する部分（セルの枠部の面積）はできるだけ小さくした方が良く、表示情報の表示状態の鮮明さが増す。ここで、隔壁の形成方法を例示すると、金型転写法、スクリーン印刷法、サンドブラスト法、フォトリソ法、アディティブ法が挙げられる。このうち、レジストフィルムを用いるフォトリソ法や金型転写法が好適に用いられる。
【００２４】
次に、本発明の対象となる情報表示用パネルで表示媒体として用いる粉流体について説明する。
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００２５】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明の情報表示用パネルで固体状物質を分散質とするものである。
【００２６】
本発明の対象となる情報表示用パネルは、少なくとも一方が透明な、対向する基板間に、例えば気体中に固体粒子が分散質として安定に浮遊するエアロゾル状態で高流動性を示す粉流体を封入するものであり、このような粉流体は、低電圧の印加でクーロン力などにより容易に安定して移動させることができる。
本発明に用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の情報表示用パネルでは、気体中に固体状の物質が分散質として比較的安定に浮遊する状態で用いられる。
【００２７】
次に、本発明の対象となる情報表示用パネルで表示媒体を構成する粒子について説明する。
粒子は、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００２８】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００２９】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００３０】
着色剤としては、以下に例示するような、有機または無機の各種、各色の顔料、染料が使用可能である。
【００３１】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００３２】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００３３】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００３４】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
【００３５】
また、本発明で表示媒体を構成する粒子は平均粒子径d(0.5)が、０．１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体の移動に支障をきたすようになる。
【００３６】
さらに、本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、d(0.5)は粒子の50％がこれより大きく、50％がこれより小さいという粒子径をμｍで表した数値、d(0.1)はこれ以下の粒子の比率が10％である粒子径をμｍで表した数値、d(0.9)はこれ以下の粒子が90％である粒子径をμｍで表した数値である。）
Spanを５以下の範囲に納めることにより、各粒子のサイズが揃い、均一な表示媒体移動が可能となる。
【００３７】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００３８】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie 理論を用いた体積基準分布を基本としたソフト）にて、粒子径および粒子径分布の測定を行なうことができる。
【００３９】
さらに、本発明の表示媒体（粒子群または粉流体）を乾式の情報表示用パネルに用いる場合、基板間の粒子群あるいは粉流体を取り巻く空隙部分の気体の管理が重要であり、表示安定性向上に寄与する。具体的には、空隙部分の気体の湿度について、２５℃における相対湿度を６０％RH以下、好ましくは５０％RH以下、更に好ましくは３５％RH以下とすることが重要である。
この空隙部分とは、図１、図２において、対向する基板１、基板２に挟まれる部分から、電極５、６（電極を基板の内側に設けた場合）、表示媒体（粒子群あるいは粉流体）３の占有部分、隔壁４の占有部分、情報表示用パネルシール部分を除いた、いわゆる、表示媒体（粒子群あるいは粉流体）が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００４０】
本発明の対象となる情報表示用パネルにおける基板と基板との間隔は、表示媒体が移動できて、コントラストを維持できればよいが、通常１０〜５００μｍ、好ましくは１０〜２００μｍに調整される。
対向する基板間の空間における表示媒体の体積占有率は５〜７０％が好ましく、さらに好ましくは５〜６０％である。７０％を超える場合には表示媒体（言い換えれば表示媒体を構成する粒子）の移動に支障をきたし、５％未満の場合にはコントラストが不明確となり易い。
【実施例】
【００４１】
以下、本発明の実施例および比較例を示して、本発明をさらに具体的に説明するが、本発明は下記実施例に限定されるものではない。なお、本発明の実施例および比較例の情報表示用パネルは、下記の方法にて作製したものを、下記の基準に従い評価した。
【００４２】
［情報表示用パネルの作製］
まず、電極付き透明ガラス基板（７ｃｍ×７ｃｍ□）を準備し、基板上にリブを作り、隔壁を形成した。
リブの形成は次のように行った。感光性フィルムであるニチゴーモートン社製ドライフィルムフォトレジストＮＩＴ２５０をＩＴＯ付ガラス上にラミネートし、露光、現像により、高さが５０μｍでライン３０μｍ、スペース３２０μｍ、ピッチ３５０μｍの隔壁を形成した。次に、背面側基板として用いるＩＴＯ電極付きの基板（７ｃｍ×７ｃｍ□、厚さ：１００μｍ）として、非透明基板（ガラスエポキシ）を準備した。
【００４３】
次に、表示媒体として色および帯電特性の異なる２種類の粒子群（粒子群Ａ、粒子群Ｂ）をそれぞれ準備した。
次に、隔壁を形成した一方の基板を、湿度４０％ＲＨ以下の乾燥した容器内に移し、まず、粒子群Ａを第１の粒子群として、容器内上部に設けられたノズルから容器内に分散させて、容器下部に置かれた基板上のセル内に散布して自由落下させることにより、粒子群Ａを充填した。
次に、散布充填された粒子群Ａに、イオン発生器によりイオン照射を行うことによって、帯電状態にある粒子群Ａの除電を行った。本発明の実施例および比較例では、コロナ放電式のイオン発生器（（株）キーエンス製ＳＪ−Ｒ０３６）または空気イオン式のイオン発生器（（株）キーエンス製ＳＪ−Ｆ０１０）を用いた。
【００４４】
続いて、粒子群Ｂを第２の粒子群として、容器内上部に設けられた別のノズルから容器内に分散させて、容器下部に置かれた基板上のセル内（すでに粒子群Ａが充填されている）に散布して自由落下させることにより、粒子群Ａに重ねて充填した。
粒子群Ａおよび粒子群Ｂの充填配置量は同体積量ずつとし、２枚の基板を貼り合わせてできる基板間に対する双方の粒子群が合わさった体積占有率が２５ｖｏｌ％となるように調整した。
次に、粒子群がセル内に充填配置された基板にもう一方の基板を重ね合わせ、基板周辺および隔壁と基板とをエポキシ系接着剤にて接着すると共に、粒子群を封入し、情報表示用パネルを作製した。
【００４５】
［表示機能の評価］
作製した情報表示用パネルを組み込んだ情報表示装置に、２５０Ｖの電圧を印加して電位を繰り返し反転させることにより、黒色〜白色のベタ画像を繰り返し表示させて、表示されるベタ画像の品質を目視観察によって評価した。
【００４６】
［表示媒体］
実施例および比較例では、表示媒体として、帯電特性の異なる白黒２色の粒子群（粒子群Ａ、粒子群Ｂ）を用いた。なお、前述した説明においての粒子群の名称は、先に充填する粒子群を粒子群Ａとし、後から充填する粒子群を粒子群Ｂとしている。
黒色粒子群は、アクリルウレタン樹脂ＥＡＵ５３Ｂ（亜細亜工業（株）製）／ＩＰＤＩ系架橋剤エクセルハードナーＨＸ（亜細亜工業（株）製）にカーボンブラック（ＭＡ１００  三菱化学（株））４重量部、荷電制御剤ボントロンＮ０７（オリエント化学（株）製）２重量部を添加し、混練り後、ジェットミルにて粉砕し、さらにハイブリダイザー装置（奈良機械製作所（株）製）を用いて機械的衝撃力を加えて略球状としてから分級して作製した。作製された粒子群は、平均粒子径が９．１μｍ、略球状で負帯電性の黒色粒子群であった。
白色粒子群は、ターシャリーブチルメタクリレ−トモノマー８０重量部とメタクリル酸２−（ジエチルアミノ）エチルモノマ−２０重量部に０．５重量部のＡＩＢＮ（アゾビスイソブチロニトリル）を溶解し、カップリング剤処理して親油性とした酸化チタン２０重量部を分散させて得られた液を、１０倍量の０．５％界面活性剤（ラウリル硫酸ナトリウム）水溶液に懸濁、重合させ、濾過、乾燥させた後、分級機（ＭＤＳ−２：日本ニュ−マチック工業）を用いて作製した。作製された粒子群は、平均粒子径が８．５μｍで正帯電性の球状白色粒子であった。
【００４７】
［電圧の印加法］
図６は黒色表示媒体用粒子３Ｂａを散布した後に白色表示媒体用粒子３Ｗａを重ねて散布する例を示しており、散布ノズル１１から白色粒子群３Ｗを基板１（２）上のセル内に散布して自由落下させることにより白色粒子群３Ｗを充填する際には、基板１（２）の電極５（６）に高圧電源を接続する。
【００４８】
＜実施例１＞
情報表示用パネルを前述の手順（まず、黒色粒子群を散布充填し、空気イオン式のイオン発生器で除電後、白色粒子群を重ねて散布充填する）で作製し、表示機能を評価した。評価結果は表１に示すようになった。
【００４９】
＜実施例２＞
まず、白色粒子群を散布充填し、空気イオン式のイオン発生器で除電後、黒色粒子群を重ねて散布充填する以外は実施例１と同様にして、情報表示用パネルを前述の手順で作製し、表示機能を評価した。評価結果は表１に示すようになった。
【００５０】
＜実施例３＞
まず、黒色粒子群を散布充填し、コロナ放電式のイオン発生器で除電後、白色粒子群を重ねて散布充填する以外は実施例１と同様にして、情報表示用パネルを前述の手順で作製し、表示機能を評価した。評価結果は表１に示すようになった。
【００５１】
＜実施例４＞
まず、白色粒子群を散布充填し、コロナ放電式のイオン発生器で除電後、黒色粒子群を重ねて散布充填する以外は実施例１と同様にして、情報表示用パネルを前述の手順で作製し、表示機能を評価した。評価結果は表１に示すようになった。
【００５２】
＜実施例５＞
まず、黒色粒子群を散布充填し、空気イオン式のイオン発生器で除電後、白色粒子群を重ねて散布充填する際に、基板電極に高圧電源（ＭＯＤＥＬ６１５：トレックジャパン）を接続し、＋１ｋＶの電圧を印加した。評価結果は表１に示すようになった。
【００５３】
＜実施例６＞
まず、白色粒子群を散布充填し、空気イオン式のイオン発生器で除電後、黒色粒子群を重ねて散布充填する際に、基板電極に高圧電源を接続し、−１ｋＶの電圧を印加した。評価結果は表２に示すようになった。
【００５４】
＜比較例１＞
まず、黒色粒子群を散布充填し、除電を行わないで白色粒子群を重ねて散布充填した以外は実施例１または実施例３と同様にして情報表示用パネルを前述の手順で作製し、表示機能を評価した。評価結果は表１に示すようになった。
【００５５】
＜比較例２＞
まず、白色粒子群を散布充填し、除電を行わないで黒色粒子群を重ねて散布充填した以外は実施例２または実施例４と同様にして情報表示用パネルを前述の手順で作製し、表示機能を評価した。評価結果は表１に示すようになった。
【００５６】
＜比較例３＞
まず、黒色粒子群を散布充填し、除電せずに、白色粒子群を重ねて散布充填した。白色粒子群を散布充填する際、基板電極に高圧電源を接続し、＋１ｋＶの電圧を印加した。評価結果は表２に示すようになった。
【００５７】
＜比較例４＞
まず、白色粒子群を散布充填し、除電せずに、黒色粒子群を重ねて散布充填した。黒色粒子群を散布充填する際、基板電極に高圧電源を接続し、−１ｋＶの電圧を印加した。評価結果は表２に示すようになった。
【００５８】
【表１】
2006085162.tif 000003
【００５９】
【表２】
2006085162.tif 000004
【００６０】
以上のとおり、実施例１〜実施例６によれば、粒子群Ａを散布充填して、除電した後、粒子群Ｂを重ねて散布充填することにより、粒子群Ａを構成する粒子と粒子群Ｂを構成する粒子とが互いに凝集することが防止され、セルから表示媒体（粒子群）のはみ出しがなく、良好な表示媒体の充填ができたので、作製された情報表示用パネルにおいては、基板間隔および平行が確保され、良好な表示情報の画像品質が得られた。
一方、比較例１〜比較例４によれば、セルから表示媒体（粒子群）のはみ出しが多く、隔壁頂上部への表示媒体の付着もあったため、情報表示用パネルは作製しなかった。
【産業上の利用可能性】
【００６１】
本発明の情報表示用パネルおよびそれを備える情報表示装置は、ノートパソコン、ＰＤＡ、携帯電話、ハンディターミナル等のモバイル機器の表示部、電子ブック、電子新聞等の電子ペーパー、看板、ポスター、黒板等の掲示板、電卓、家電製品、自動車用品等の表示部、ポイントカード、ＩＣカード等のカード表示部、電子広告、電子ＰＯＰ、電子棚札、電子値札、電子楽譜、ＲＦ−ＩＤ機器の表示部などに好適に用いられる。
【図面の簡単な説明】
【００６２】
【図１】本発明の情報表示装置に用いる情報表示用パネルの一例を示す図である。
【図２】本発明の情報表示装置に用いる情報表示用パネルの他の例を示す図である。
【図３】（ａ）〜（ｅ）は本発明の情報表示用パネルの製造方法を説明するための図である。
【図４】（ａ）〜（ｄ）は本発明の情報表示用パネルの製造方法を説明するための図である。
【図５】本発明の情報表示装置の情報表示用パネルにおける隔壁の形状の一例を示す図である。
【図６】本発明の情報表示用パネルを製造する際に基板に電圧を印加する方法を説明するための図である。
【符号の説明】
【００６３】
１，２  基板
３  表示媒体（粒子群、粉流体）
３Ｗ  白色表示媒体
３Ｂ  黒色表示媒体
３Ｗａ  白色表示媒体用粒子
３Ｂａ  黒色表示媒体用粒子
４  隔壁
５  電極
６  電極
１１  散布ノズル
１２  除電装置
【図１】
2006085162.tif 000005
【図２】
2006085162.tif 000006
【図３】
2006085162.tif 000007
【図４】
2006085162.tif 000008
【図５】
2006085162.tif 000009
【図６】
2006085162.tif 000010